(57)【要約】【課題】構造を簡易、小型化し、原料の冷却を効率的に、均一に行うことができるようにしたベルト式冷却機を提供すること。【解決手段】駆動冷却プーリ１と、駆動冷却プーリ１より離間した位置に配設された従動プーリ２と、この駆動冷却プーリ１の外周面を押圧するように囲周し、従動プーリ２との間に張架するエンドレス状のスチールベルト３と、スチールベルト３の外周面より冷却する冷却装置４と、駆動冷却プーリ１の内周面より冷却する冷却装置５と、駆動冷却プーリ１より突出するスチールベルト３の内側に原料を供給するフィード６と、冷却原料を粗破砕して取り出すようにした粗破砕機７とより構成する。【選択図】図１
2005147470.tif 000002
【特許請求の範囲】
【請求項１】
駆動冷却プーリの外周面を押圧するように囲周し、該駆動冷却プーリより離間した位置に配設された従動プーリとの間に張架するエンドレス状のスチールベルトを、その外周面より、また駆動冷却プーリの内周面よりそれぞれ冷却可能とし、かつ、駆動冷却プーリから従動プーリ側に突出するスチールベルトの内側に原料の供給と、冷却原料の取り出しとを行うように構成したことを特徴とするベルト式冷却機。
【請求項２】
スチールベルトの冷却を、駆動冷却プーリの下面側においては冷却液の噴射方式で、上面側においてはスプリンクルトラフより冷却液を流出させて行うように構成したことを特徴とする請求項１記載のベルト式冷却機。
【発明の詳細な説明】
【技術分野】
【０００１】
本発明は、ベルト式冷却機に関し、特に、駆動冷却プーリの外周面に押圧するように１本のエンドレスベルトを張架し、駆動冷却プーリより突出するようにしたベルトの延長上にて原材料を供給することにより構造をコンパクトとし、かつ駆動冷却プーリとスチールベルトの両側から冷却を行うことにより効率的に均一に行えるようにしたベルト式冷却機に関するものである。
【背景技術】
【０００２】
従来、複写機用のトナー原料、その他の顔料、染料、或いはチョコレートなどの食品、その他の各種原料を冷却するものとして一般に汎用されている二重ベルト式冷却機は、エンドレス状スチールベルトの２条を、上下において対向し、かつその一面、例えば、ベルトの往路側を互いに接触、又は近設するように対設し、さらに必要に応じてこの二重ベルトの片方を高くするよう傾斜させて配設し、この上下に対設される二重ベルトの一端側、例えば、下端側において、上部ベルトよりも下部ベルトを少し長く下部ベルトより突出するようにし、この下部ベルトの突出部分上方に原料を供給するためのフィードを配設し、これより冷却する原料を下部ベルトの突出部分上に供給し、ベルトの上端側より冷却された原料を取り出すように構成している。
【０００３】
ところで、上記従来の二重ベルト式冷却機においては、２本のエンドレス状スチールベルトを単に上下に重ねるように対設している構造からして、またスチールベルトを掛けるシーブ位置におけるスチールベルトの許容湾曲度とからして冷却機をコンパクト化するにも限度があり、さらに原料の冷却を効率的に行うためにスチールベルトの内外両側から行うようにすれば構造が複雑になるという問題があった。
【発明の開示】
【発明が解決しようとする課題】
【０００４】
本発明は、上記従来の二重ベルト式冷却機の有する問題点に鑑み、構造を簡易、小型化し、原料の冷却を効率的に、均一に行うことができるようにしたベルト式冷却機を提供することを目的とする。
【課題を解決するための手段】
【０００５】
上記目的を達成するため、本発明のベルト式冷却機は、駆動冷却プーリの外周面を押圧囲周し、該駆動冷却プーリより離間した位置に配設された従動プーリとの間に張架するエンドレス状のスチールベルトを、その外周面より、また駆動冷却プーリの内周面よりそれぞれ冷却可能とし、かつ、駆動冷却プーリから従動プーリ側に突出するスチールベルトの内側に原料の供給と、冷却原料の取り出しとを行うように構成したことを特徴とする。
【０００６】
この場合において、スチールベルトの冷却を、駆動冷却プーリの下面側においては冷却液の噴射方式で、上面側においてはスプリンクルトラフより冷却液を流出させて行うように構成することができる。
【発明の効果】
【０００７】
本発明のベルト式冷却機によれば、駆動冷却プーリの外周面を押圧囲周するようにしてエンドレス状のスチールベルトを張架しているので、駆動冷却プーリ、従動プーリ間のスチールベルトをガイドローラなどにて支持する必要がないので冷却機の構造を簡単とすることができ、また駆動冷却プーリとスチールベルトとにより挟持搬送される原料をその両側より冷却するようにしているので、原料の冷却がより均一になり、冷却効率を飛躍的に向上させることができ、さらに駆動冷却プーリより突出するよう張架したスチールベルト上に原料を供給することから、従来と同じ能力を有する場合であっても従来装置よりもさらに小型化することができる。
【０００８】
また、スチールベルトの冷却を、駆動冷却プーリの下面側においては冷却液の噴射方式で、上面側においてはスプリンクルトラフより冷却液を流出させて行うように構成することにより、スチールベルトの位置に関係なく、均一に冷却できるので、原料の冷却をも効率的に、均一に行え、製品の価値を向上させることができる。
【発明を実施するための最良の形態】
【０００９】
以下、本発明のベルト式冷却機の実施の形態を図面に基づいて説明する。
【実施例１】
【００１０】
図１に、本発明のベルト式冷却機の一実施例を示す。
このベルト式冷却機は、駆動冷却プーリ１と、駆動冷却プーリ１より離間した位置に配設された従動プーリ２と、この駆動冷却プーリ１の外周面を押圧するように囲周し、従動プーリ２との間に張架するエンドレス状のスチールベルト３と、スチールベルト３の外周面より冷却する冷却装置４と、駆動冷却プーリ１の内周面より冷却する冷却装置５と、駆動冷却プーリ１より突出するスチールベルト３の内側に原料を供給するフィード６と、冷却原料を粗破砕して取り出すようにした粗破砕機７とより構成し、これらの各部材は、図２、図３に示すように本体フレームＦ内に納められるようにする。
【００１１】
駆動冷却プーリ１は、特に限定されるものではないが、例えば、原料が駆動冷却プーリ１の外周に沿ってガイドプーリ１３及び押圧プーリ１４間の約２７０〜３００度、周回する時に、即ち原料の冷却区間となる距離を移動する際、所要の冷却が行われる周回長を有するような径を備え、また駆動冷却プーリ１を支持する軸を駆動装置８にて必要に応じて可調速的に、図示の実施例では半時計方向に回転するよう駆動するように構成する。
【００１２】
また、駆動冷却プーリ１の内部には冷却装置５を備え、該冷却装置５のノズルより噴射又は吐出される冷却液又は冷却水を駆動冷却プーリ１の内周面に噴射して直接冷却するとともに、噴射後の冷却液を回転する駆動冷却プーリ１の内底部に一時的に貯留させ、この貯留冷却液によっても駆動冷却プーリ１を冷却するようにする。
そして、この駆動冷却プーリ１の内底部の貯留冷却液は、一定量を超えると外部の集水バンを兼ねた貯留槽内へ排水管１１を経て排出されるようにする。
なお、この場合、配水管にはサクションポンプ（図示省略）を付設し、効率的に排水するようにこともできる。
【００１３】
従動プーリ２は、特に限定されるものではないが、例えば、駆動冷却プーリ１の径よりも小径とし、駆動冷却プーリ１より離間した位置、例えば、駆動冷却プーリ１と従動プーリ２との間にフィード６と粗破砕機７とが配設される空間を有するように離間して配設する。
この従動プーリ２の幅は、特に限定されるものではないが、スチールベルト３の幅に適合したものとし、前記駆動冷却プーリ１の幅と等しいものとする。
また、この従動プーリ２には、駆動冷却プーリ１、従動プーリ２間に張架するスチールベルト３が、常に設定した所要張力で緊張して張架されるよう、緊張装置１２を付設する。
なお、駆動冷却プーリ１に張架するスチールベルト３が、少なくとも原料の冷却区間となる距離だけ駆動冷却プーリ１の外周面と接触を維持できるよう駆動冷却プーリ１の外周面に近設してスチールベルト３を駆動プーリ側に所要圧で押圧するための押圧プーリ１４を配設し、この押圧プーリ１４を駆動装置１５にて駆動するようにする。この場合、スチールベルト３の駆動速度と押圧プーリ１４の回転速度とが調速されるようにする。
【００１４】
スチールベルト３の外周面を冷却する冷却装置４は、駆動冷却プーリ１の上方位置のベルトの高位置側に配設し、主として駆動冷却プーリ１の周面に沿うように冷却液が流下するようにした高位置ベルト冷却機構４Ａと、駆動冷却プーリ１の下方位置でベルトの低位置側に配設し、主として駆動冷却プーリ１の周面に沿う下方側を噴射方式で冷却するようにした低位置ベルト冷却機構４Ｂとより構成する。
高位置ベルト冷却機構４Ａは、図１に示すように、駆動冷却プーリ１の外周面における最高位置或いはそれよりも少し反回転方向に移動した位置に配設したスプリンクルトラフ４１に、冷却液循環用配管９より分岐した分岐配管９１を接続して構成し、これにより冷却液循環用配管９より供給される冷却液がスプリンクルトラフ４１より駆動冷却プーリ１の外周面上方位置にあるチールベルト３面上に吐出されることによってスチールベルト３の表面を直接冷却することができる。
なお、この場合、駆動冷却プーリ１の回転方向に対し、スプリンクルトラフ４１からの冷却液の吐出方向は反対方向となっているので、図示のように駆動冷却プーリ１の回転方向と反対方向へ、かつ駆動冷却プーリ１の外周面に沿って逆流することなく流下し、駆動冷却プーリ１及び低位置ベルト冷却機構４Ｂの下部方向に配設された集水バン１０にて受けられるようにするものである。
また、低位置ベルト冷却機構４Ｂは、駆動冷却プーリ１の外周面における低位置側の下半部分に配設され、駆動冷却プーリ１の外周面に沿って移動するスチールベルト３の外周面に対して冷却液を噴射するための複数の噴射ノズル４２、４２を、該スチールベルト３の移送方向に沿って所定間隔毎に複数配設し、かつ各噴射ノズル４２に冷却液循環用配管９より分岐した分岐配管９２を接続して構成し、これにより冷却液循環用配管９より供給される冷却液が各噴射ノズル４２よりスチールベルト３に向かって噴射されるので、駆動冷却プーリ１の外周面下方位置にあるチールベルト３面に対しても直接冷却することができる。
【００１５】
冷却液の循環は、ベルト式冷却機本体の下方位置、即ち駆動冷却プーリ１、従動プーリ２、冷却装置４等の配設位置よりも下方位置に配設された集水バン１０と、高位置ベルト冷却機構４Ａのスプリンクルトラフ４１と、低位置ベルト冷却機構４Ｂの噴射ノズル４２とを、循環ポンプ１６を配設した冷却液循環用配管９を介して接続して構成する。これによりスプリンクルトラフ４１及び噴射ノズル４２より吐出又は噴射された冷却液を集水バン１０に集め、循環ポンプ１６、冷却液循環用配管９を経て冷却液を循環するように構成する。
【００１６】
また、駆動冷却プーリ１、従動プーリ２間の空間部分内には、前記原料を供給するためのフィード６と、このフィード６と駆動冷却プーリ１との間に、駆動冷却プーリ１とスチールベルト３間にて原料を挟持しつつ搬送することにより冷却された原料を、駆動冷却プーリ面及びスチールベルト面から剥離除去され、破砕するための粗破砕機７とを配設する。これにより、冷却され板状となっている原料を粗破砕機７にて粗破砕した後、機外に取り出し、所要のミル等にて微粉末に粉砕するようにする。
なお、冷却された原料を、駆動冷却プーリ面及びベルト面から確実に剥離除去できるよう、必要に応じて剥離機構（図示省略）を付設することがある。
【００１７】
次に、このベルト式冷却機の動作について説明する。
駆動冷却プーリ１及び押圧プーリ１４を駆動してスチールベルト３を回転移動させつつ、循環ポンプ１６を駆動することにより冷却液循環用配管９を経て冷却機構４のスプリンクルトラフ４１及び噴射ノズル４２より冷却液（又は冷却水）が、この回転移動するスチールベルト３の表面に向かって噴射又は吐出され、スチールベルト３の表面を冷却する。これとともに冷却液循環用配管９の分岐配管９１より駆動冷却プーリ１内に配設された冷却装置５のノズルより冷却液が噴射され、駆動冷却プーリ１をその内周面側からも冷却する。
このようにして駆動冷却プーリ１、スチールベルト３を冷却した後、この冷却液は、下部の集水バンに回収され、冷却液循環用配管９、循環ポンプ１６を介して循環使用される。
【００１８】
また、この冷却液の循環とともに駆動冷却プーリ１及び押圧プーリ１４も駆動されているので、フィード６より冷却する原料が、駆動冷却プーリより少し離れた位置に延長するよう張架して回転駆動されているスチールベルト上に供給されると、この供給された原料は、回転移動により駆動冷却プーリ１、スチールベルト３間に挟持されて駆動冷却プーリ１の外周面に押圧されつつ移動する。この際、スチールベルト３はその外表面から噴射ノズル４２、スプリンクルトラフ４１にて、また駆動冷却プーリ１はその内周面側からそれぞれ冷却されているので、駆動冷却プーリ１、スチールベルト３間に挟持搬送される原料は、原料の表裏両面から同時に冷却されるので、効率的に、かつ均一に冷却されつつ移動する。
この場合、板状に冷却された原料の厚さは、駆動冷却プーリ１、押圧プーリ１４間の押圧による挟持圧により設定される。
【００１９】
そして、冷却された原料は、駆動冷却プーリ１と離間する位置において、駆動冷却プーリ１、スチールベルト３から剥離されるようになって駆動冷却プーリ１、スチールベルト間より押し出される。この板状になった冷却原料は、駆動冷却プーリ１に近設された粗破砕機７にて破砕された後、冷却機外へ排出されるようになる。
これを連続して行うことにより、所望の原料は連続的に冷却されるものとなる。
【００２０】
以上、本発明のベルト式冷却機について、その実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明のベルト式冷却機は、構造を簡易、小型化し、原料の冷却を効率的に、均一に行うことができるという特性を有していることから、複写機用のトナー原料、その他の顔料、染料、或いはチョコレートなどの食品、その他の各種原料の冷却の用途に好適に用いることができる。
【図面の簡単な説明】
【００２２】
【図１】本発明のベルト式冷却機の一実施例を示すフローシートである。
【図２】同正面図である。
【図３】同平面図である。
【符号の説明】
【００２３】
１    駆動冷却プーリ
２    従動プーリ
３    スチールベルト
４    スチールベルトの冷却装置
４Ａ  高位置ベルト冷却機構
４Ｂ  低位置ベルト冷却機構
５    駆動冷却プーリの冷却装置
６    フィード
７    粗破砕機
８    駆動冷却プーリの駆動装置
９    冷却液循環用配管
１０  集水バン
１１  排水管
１２  緊張装置
１３  ガイドプーリ
１４  押圧プーリ
１５  駆動装置
【図１】
2005147470.tif 000003
【図２】
2005147470.tif 000004
【図３】
2005147470.tif 000005